(57)【特許請求の範囲】
【請求項１】
複数波の地上デジタルテレビジョン放送信号を、光ファイバーを介して伝送可能な第１の光信号に変換し、多芯の光ファイバーの１本の光ファイバーに供給する第１の受信装置と、
この第１の受信装置から前記１本の光ファイバーを介して伝送された前記第１の光信号を、前記テレビジョン放送信号に復元して、第１の送信アンテナに供給する第１の送信装置とを、
備え、第１の受信装置は、第１の電源装置によって動作し、第１の送信装置は、第２の電源装置によって動作する再送信システムにおいて、
前記第１の電源装置の動作時には第１の電源装置によって動作し、前記第１の電源装置が非作動時には第１のバッテリーによって動作し、少なくとも１波の地上デジタルテレビジョン放送信号を光ファイバーで伝送可能な第２の光信号に変換して、前記多芯の光ファイバーの他の１本の光ファイバーに供給する第２の受信装置と、
前記第１の受信装置及び前記第１の送信装置のうち少なくとも一方が動作不能時に、第２のバッテリーによって動作し、前記第２の受信装置から前記他の１本の光ファイバーを介して伝送された前記第２の光信号を前記少なくとも１波の地上デジタルテレビジョン放送信号に復元して、第２の送信アンテナに供給する第２の送信装置とを、
具備する再送信システム。
【請求項２】
複数波の地上デジタルテレビジョン放送信号を、光ファイバーを介して伝送可能な第１の光信号に変換し、多芯の光ファイバーの１本の光ファイバーに供給する第１の受信装置と、
この第１の受信装置から前記１本の光ファイバーを介して伝送された前記第１の光信号を、前記テレビジョン放送信号に復元して、第１の送信アンテナに供給する第１の送信装置とを、
備え、第１の受信装置は、第１の電源装置によって動作し、第１の送信装置は、第２の電源装置によって動作する再送信システムにおいて、
動作時に、少なくとも１波の地上デジタルテレビジョン放送信号を光ファイバーで伝送可能な第２の光信号に変換して、前記多芯の光ファイバーの他の１本の光ファイバーに供給する第２の受信装置と、
動作時に、前記第２の受信装置から前記他の１本の光ファイバーを介して伝送された前記第２の光信号を前記少なくとも１波の地上デジタルテレビジョン放送信号に復元して、第２の送信アンテナに供給する第２の送信装置とを、
具備し、第２の送信装置は、第１の送信装置が送信不能時、第２の送信装置用のバッテリーによって動作し、第２の受信装置は、第２の送信装置の動作に応動して動作する再送信システム。
【発明の詳細な説明】
【技術分野】
【０００１】
本発明は、地上デジタルテレビジョン放送信号の再送信システムに関し、特に、再送信する地上デジタルテレビジョン放送信号を追加するものに関する。
【背景技術】
【０００２】
再送信システムとしては、例えば特許文献１に開示されているようなものがある。特許文献１の技術によれば、受信装置は、受信した複数の地上デジタルテレビジョン放送信号を増幅する処理ユニットを有し、この処理ユニットからの複数の地上デジタルテレビジョン放送信号は、光送信機で光信号に変換され、光ファイバーを介して２台の送信装置のうち１台の送信装置に伝送される。２台のうち１台の送信装置は、受信した光信号を元の複数の地上デジタルテレビジョン放送信号に変換して再送信する。受信装置は、ある１波のチャンネルの処理ユニットも有し、この処理ユニットは、停電時に動作して、ある１波の地上デジタルテレビジョン放送信号を増幅し、上記の光送信機（この光送信機は停電時でも動作するように構成されている）によって光信号に変換され、光ファイバーに供給される。２台の送信装置のうちもう１台の送信装置である１波のチャンネル用の送信装置は停電時でも動作するように構成されており、光ファイバーを介して伝送された光信号を特定の１波の地上デジタルテレビジョン放送信号に変換し、送信アンテナから送信する。
【先行技術文献】
【特許文献】
【０００３】
【特許文献１】特開２０１０−２８７９９２号公報
【発明の概要】
【発明が解決しようとする課題】
【０００４】
特許文献１の技術によれば、停電時でもある１波の地上デジタルテレビジョン放送信号の再送信を行うことができる。ところで停電時でもある１波の地上デジタルテレビジョン放送信号の再送信を行えるように構成されていない受信装置と１台の送信装置しか備えていない既存の再送信システムにおいて、ある１波の地上デジタルテレビジョン放送信号の再送信を行えるようにするためには、１つの手法として受信装置に停電時に動作するある１波の地上デジタルテレビジョン放送信号の処理ユニットを追加し、光送信機を停電時にも動作するように変更した上に、ある１波の地上デジタルテレビジョン放送信号用の送信装置を追加する方法が考えられる。しかし、このような追加設置工事は作業手順が増え、、１本の光ファイバー上で新たな光信号を伝送する必要があり、既存の再送信システムへの追加作業が面倒になる。また、長時間の停波を伴うデメリットがある。このような追加作業は、停電対策用に無停電電源装置を設置している場合でも同様に生じる。
【０００５】
本発明は、既存の再送信システムにおいて、少なくとも１波の再送信を可能にするための追加設置工事を容易にすることを目的とする。
【課題を解決するための手段】
【０００６】
本発明の一態様の再送信システムは、第１の受信装置を有している。第１の受信装置は、複数波の地上デジタルテレビジョン放送信号を、光ファイバーを介して伝送可能な第１の光信号に変換し、多芯の光ファイバーの１本の光ファイバーに供給する。第１の受信装置から前記１本の光ファイバーを介して伝送された前記第１の光信号を、第１の送信装置が前記テレビジョン放送信号に復元し、第１の送信アンテナに供給する。第１の受信装置は、第１の電源装置によって動作し、第１の送信装置は、第２の電源装置によって動作する。この再送信システムは、第２の受信装置と第２の送信装置も有している。第２の受信装置は、前記第１の電源装置の動作時には第１の電源装置によって動作し、前記第１の電源装置が非作動時には第１のバッテリーによって動作する。第２の受信装置は、少なくとも１波の地上デジタルテレビジョン放送信号を光ファイバーで伝送可能な第２の光信号に変換して、前記多芯の光ファイバーの他の１本の光ファイバーに供給する。第２の送信装置は、前記第１の受信装置及び前記第１の送信装置のうち少なくとも一方が動作不能時に、第２のバッテリーによって動作する。第２の送信装置は、前記第２の受信装置から前記他の１本の光ファイバーを介して伝送された前記第２の光信号を前記少なくとも１波の地上デジタルテレビジョン放送信号に復元して、第２の送信アンテナに供給する。
【０００７】
本発明の他の態様の再送信システムは、第１の受信装置を有している。第１の受信装置は、複数波の地上デジタルテレビジョン放送信号を、光ファイバーを介して伝送可能な第１の光信号に変換し、多芯の光ファイバーの１本の光ファイバーに供給する。第１の受信装置から前記１本の光ファイバーを介して伝送された前記第１の光信号を、第１の送信装置が、前記テレビジョン放送信号に復元して、第１の送信アンテナに供給する。第１の受信装置は、第１の電源装置によって動作し、第１の送信装置は、第２の電源装置によって動作する。この再送信システムは、第２の受信装置と第２の送信装置も有している。第２の受信装置は、動作時に、少なくとも１波の地上デジタルテレビジョン放送信号を光ファイバーで伝送可能な第２の光信号に変換して、前記多芯の光ファイバーの他の１本の光ファイバーに供給する。第２の送信装置は、動作時に、前記第２の受信装置から前記他の１本の光ファイバーを介して伝送された前記第２の光信号を前記少なくとも１波の地上デジタルテレビジョン放送信号に復元して、第２の送信アンテナに供給する。第２の送信装置は、第１の送信装置が送信不能時、第２の送信装置用のバッテリーによって動作し、第２の受信装置は、第２の送信装置の動作に応動して動作する。
【発明の効果】
【０００９】
以上のように、本発明によれば、既存の再送信システムにおいて、少なくとも１波の地上デジタルテレビジョン放送信号の再送信を可能にするための追加設置工事を容易にすることができる。
【図面の簡単な説明】
【００１０】
【図１】本発明の１実施形態の再送信システムのブロック図である。
【図２】図１の再送信システムの受信装置のブロック図である。
【図３】図１の再送信システムの送信装置のブロック図である。
【図４】図１の再送信システムの追加受信装置のブロック図である。
【図５】図１の再送信システムの追加受信装置のブロック図である。
【発明を実施するための形態】
【００１１】
本発明の一実施形態の再送信システムは、図１に示すように、第１の受信装置、例えば受信装置２を有している。受信装置２は、分配器８、複数の抽出手段（例えば、バンドバスフィルタ１０）、複数の信号処理手段（例えば、信号処理部６及び増幅部７）、バンドパスフィルタ１２、合成器１４及び電気−光変換手段（例えば、光送信機１６）で構成されており、第１の受信アンテナ、例えば受信用アンテナ４で受信した複数波の地上デジタルテレビジョン放送信号を分配器８及び抽出手段を介して１波の地上デジタル放送テレビジョン放送信号を抽出し、該信号を１波用の信号処理手段に供給し、ここで後述する信号処理を行なった後、合成器１４にて他の信号処理手段からの他の１波の地上デジタル放送テレビジョン放送信号と合成した複数波の地上テレビジョン放送信号を、電気−光変換手段にて第1の光信号に変換して出力する。
【００１２】
図２に示すように、信号処理手段は、各波に対応させて複数台設けられ、各信号処理手段は対応した１波の地上デシタルテレビジョン放送信号を信号処理部６−１、６−２・・・６−ｎにて中間周波信号に周波数変換し、この中間周波信号を波形再生成回路及び自動利得調整回路により信号レベル調整を行ない、元の１波の地上デシタルテレビジョン放送信号に周波数変換した後、増幅部７−１、７−２、・・・７−ｎによって増幅される。これら複数台の信号処理手段から出力される１波の地上デジタル放送信号を合成器１４によって合成し、光送信機１６に供給する。同図において、符号８で示すのは、受信アンテナ４で受信された複数波の地上デシタルテレビジョン放送信号を分配する分配器、符号１０−１、１０−２、・・・１０−ｎで示すのは、分配器８から分配された複数波の地上デシタルテレビジョン放送信号から各信号処理部６−１、６−２・・・６−ｎに入力する１波の地上デジタルテレビジョン放送信号を抽出するように各信号処理手段６−１、６−２・・・６−ｎの入力側に設けた抽出手段、例えばバンドパスフィルタ、符号１２−１、１２−２・・・１２−ｎで示すのは各増幅部７−１、７−２、・・・７−ｎの出力側に設け、不要な信号成分を除去するバンドパスフィルタである。
【００１３】
受信装置２の出力は、図１に示すように多芯の光ファイバー２０の１本の光ファイバー２０ａを介して送信装置２２に供給される。送信装置２２は、図３に示すように、光ファイバー２０ａで伝送された第１の光信号を受けて、光−電気変換手段、例えば光受信機２４によって元の複数波の地上デジタルテレビジョン放送信号に復元し、増幅手段、例えば増幅器２６によって適正な信号レベルになるように増幅し、送信アンテナ２８に供給する。
【００１４】
受信装置２と送信装置２２とを備える再送信システムは、例えば山間部やビル影などの難視聴対策として設置されている。
【００１５】
図１に示すように、この受信装置２には無停電電源装置３０によって動作電力が供給されている。また、送信装置２２にも、無停電電源装置３２によって動作電力が供給されている。これら無停電電源装置３０、３２は、例えば商用交流電圧を降圧して受信装置２、送信装置２２に動作電力を供給し、停電が生じると、一定時間に亘って内蔵するバッテリーによって受信装置２、送信装置２２に動作電力を供給する。従って、無停電電源装置３０、３２が設置されている場所で停電が生じて、バッテリーによって受信装置２、送信装置２２に動作電力を供給している状態で、無停電電源装置３０、３２に異常が発生し、正常に動作電力が供給不能となると、再送信が不能となる。
【００１６】
そこで、再送信が不能な場合でも、少なくとも１波の地上デジタルテレビジョン放送信号（この１波の地上デジタルテレビジョン放送信号は、受信装置２によって受信されている複数波の地上デジタルテレビジョン放送信号のうち１波の地上デジタルテレビジョン放送信号である）を再送信できるように、少なくとも１波の地上デジタルテレビジョン放送信号専用の受信装置及び送信装置を設け、これらを蓄電手段、例えばバッテリーで動作可能とし、無停電電源装置３０または３２に異常が発生したとき、この１波の地上デジタルテレビジョン放送信号専用の受信装置及び送信装置を、動作させることが考えられる。
【００１７】
このような１波の地上デジタルテレビジョン放送信号専用の受信装置及び送信装置を、受信装置２及び送信装置２２を有する既設の再送信システムに、追加しようとする場合、システムの再構築によるシステム設計及び検証に時間や費用がかかり既存の再送信システムの光ファイバー２０ａに、１波の地上デジタルテレビジョン放送信号専用の受信装置からの光信号を混合して伝送することは難しい。
【００１８】
そこで、この実施形態では、光ファイバー２０が多芯であり、受信装置２及び送信装置２２を接続する光ファイバー２０ａ以外にも予備の光ファイバーが多芯の光ファイバー２０内に存在することに着目して、システムの再構築によるシステム設計及び検証に時間や費用の問題を解決している。
【００１９】
即ち、第２の受信装置、例えば１波の地上デジタルテレビジョン放送信号用の追加受信装置３４と、第２の送信装置、この１波の地上デジタルテレビジョン放送信号用の追加送信装置３６が設けられている。
【００２０】
追加受信装置３４は、図４に示すように、信号処理手段（例えば、信号処理部６ａ及び増幅部７ａ）及び電気−光変換手段（例えば、光送信機１６a）で構成されており、追加受信アンテナ３８で受信した１波の地上デジタルテレビジョン放送信号を信号処理部部６ａにて、中間周波信号に周波数変換し、この中間周波信号を波形再生成回路及び自動利得調整回路により信号レベル調整を行ない、元の１波の地上デシタルテレビジョン放送信号に周波数変換した後、増幅部７ａによって増幅する。この増幅された１波の地上デシタルテレビジョン放送信号を電気−光変換手段、例えば光送信機１６ａで第２の光信号に変換され出力される。追加受信装置３４の光送信機の光信号の波長は、受信装置２の光信号と同じ波長である。追加受信装置３４からの光信号は、光ファイバー２０内の予備の光ファイバー２０ｂに供給される。また、追加受信装置３４の入力側には追加受信アンテナ３８で受信した１波の地上デジタルテレビジョン放送信号を抽出するための抽出手段（図示しない）例えば、バンドパスフィルタを設けている。
【００２１】
追加送信装置３６に、追加受信装置３４から光ファイバー２０ｂを介して伝送された光信号が供給される。追加送信装置３６では、図５に示すように、光ファイバー２０ｂを介して伝送された光信号が１波の地上デジタルテレビジョン放送信号に光−電気変換手段、例えば光受信機２４ａで復元される。復元された１波の地上デジタルテレビジョン放送信号は、追加送信装置３６内の増幅手段、例えば増幅器２６ａで適正な信号レベルに増幅され、この増幅された地上デジタルテレビジョン放送信号は、追加送信アンテナ４０に供給され、この追加送信アンテナ４０から再送信される。この追加送信装置３６は、図３に示した送信装置２２の構成において、送信アンテナ２８を追加送信アンテナ４０に変更した以外、同一の構成である。
【００２２】
追加受信装置３４は、蓄電手段、例えばバッテリー（図示せず）を有し、このバッテリーは、無停電電源装置３０によって充電されている。また、追加受信装置３４は無停電電源装置３０からの電力によって常時動作しており、無停電電源装置３０に異常が発生したとき、図１に破線矢印Ａで示すように検出信号が無停電電源装置３０から追加受信装置３４に供給されて、追加受信装置３４がバッテリーによって動作する。無停電電源装置３０の異常としては、例えば交流出力電圧、内部温度異常、出力過電圧、バッテリー電圧低下、内部バッテリー充電器異常出力のいずれかがある。
【００２３】
同様に、追加送信装置３６もバッテリー（図示せず）を有し、このバッテリーは無停電電源装置３２によって充電されている。追加送信装置３６では、光受信機２４ａ、増幅器２６ａには通常時、無停電電源装置３２から動作電力は供給されて無く、動作していない。その代わりに送信装置２２のモニター端子から図１で破線矢印Ｂで示すようにモニター出力信号が追加送信装置３６に供給され、この信号を予め定めた基準値と比較する比較手段、例えば比較器（図示せず）が追加送信装置３６に設けられている。この比較器には無停電電源装置３２から電力が供給されていて、常に動作している。モニター出力信号が基準値よりも小さくなったとことを比較器が判定したとき、光受信機２４ａ、増幅器２６ａにバッテリーから電力が供給されて、これらが動作する。また、無停電電源装置３２に異常が発生したときにも、図１に破線矢印Ｃで示すように無停電電源装置３２から検出信号が追加送信装置３６に供給され、これに応動して、バッテリーから光受信機２４ａ、増幅器２６ａ、比較器に電力が供給され、これらが動作する。
【００２４】
従って、無停電電源装置３０、３２に異常が発生していない場合、受信装置２及び送信装置２２によって複数波の地上デジタルテレビジョン放送信号の再送信が行われている。一方、追加受信装置３４からの１波の地上デジタルテレビジョン放送信号に基づく光信号は追加送信装置３６に光ファイバー２０ｂを介して供給されているが、追加送信装置３６が動作していないので、１波の地上デジタルテレビジョン放送信号の再送信は行われていない。
【００２５】
再送信システムの無停電電源装置３０に異常が発生した場合、受信装置２は動作を停止し、光ファイバー２０ａを介して複数波の地上デジタルテレビジョン放送信号に基づく光信号は送信装置２２に供給されず、再送信アンテナ２８から複数波の地上デジタルテレビジョン放送信号の再送信は停止される。しかし、追加受信装置３４はバッテリーによって動作を継続する。従って、１波の地上デジタルテレビジョン放送信号に基づく光信号が光ファイバー２０ｂを介して継続して追加送信装置３４に供給される。一方、受信装置２の動作停止により、送信装置２２から追加受信装置３６に供給されているモニター出力の信号レベルが基準値よりも低下する。その結果、追加送信装置３６では、バッテリーによって光受信機２４ａ、増幅器２６ａが動作し、再送信アンテナ４０から１波の地上デジタルテレビジョン放送信号の再送信が開始される。
【００２６】
また、例えば無停電電源装置３２に異常が発生した場合、送信装置２２が動作を停止する。その結果、受信装置２から光ファイバー２０ａを介して複数波の地上デジタルテレビジョン放送信号に基づく光信号が送信装置２２に供給されているが、複数波の地上デジタルテレビジョン放送信号の再送信は停止される。しかし、無停電電源装置３２の異常を検出した追加送信装置３６では、バッテリーによって光受信機２４ａ、増幅器２６ａが動作を開始し、追加受信装置３４からの１波の地上デジタルテレビジョン放送信号の再送信が再送信アンテナ４０にて開始される。よって、無停電電源装置３２に異常が発生した場合にも同様にして、１波の地上デジタルテレビジョン放送信号の再送信が開始される。
【００２７】
また、同時に無停電電源装置３０、３２に異常が発生した場合、受信装置２が動作を停止するが、追加受信装置３４がバッテリーによって継続して動作しており、１波の地上デジタルテレビジョン放送信号に基づく光信号が追加送信装置３６に供給される。よって、同時に無停電電源装置３０、３２に異常が発生した場合にも、１波の地上デジタルテレビジョン放送信号の再送信が開始される。
【００２８】
このように多芯の光ファイバー２０内の予備の光ファイバー２０ｂを使用して、１波の地上デジタルテレビジョン放送信号を光送信機１６ａにて電気−光変換した光信号を伝送するように構成している。従って、追加受信装置３４、予備の光ファイバー２０ｂ及び追加送信装置３６からなる１波の地上デジタルテレビジョン放送信号の再送信システムを、既存の再送信システムとは別のシステムとしているので、１波の地上デジタルテレビジョン放送信号の再送信システム単独で構築することができ、設置工事を容易にすることができる。
【００２９】
上記の実施形態では、無停電電源装置３０、３２を使用したが、これらに代えて停電が発生すると、動作電力の供給を停止する通常の電源装置を使用することもできる。この場合、受信装置用電源装置及び送信用電源装置が同時に停電で停止した場合でも、いずれか一方のみが停電で動作を停止したときでも、上述したのと同様にして１波の地上デジタルテレビジョン放送信号の再送信が行われる。
【００３０】
上記の実施形態では、再送信システムは、山間部やビル影などの難視聴対策として設置されている例を示したが、これに限ったものではなく、例えば災害発生時の避難場所となっている比較的大きな建物、例えば体育館やホールなどに設置することもできる。
【００３１】
上記の実施形態では、追加受信装置３４は、追加受信アンテナ３８を備えたものを示したが、受信装置２や追加受信装置３４の増幅器への入力レベルに余裕がある場合には、受信アンテナ４の受信信号を２分配器によって受信装置２及び追加受信装置３４に分配するように構成することもできる。上記の実施形態では、追加送信装置３６は、光ファイバー２０ｂによって送信された光信号から復元した１波の地上デジタルテレビジョン放送信号のみを再送信したが、複数波の地上デジタルテレビジョン放送信号を再送信するように構成することもできる。上記の実施形態では、受信装置２及び追加受信装置３４は、信号処理部６−１、６−２、・・・６−ｎ、６ａにて受信信号と同一の地上デジタルテレビジョン放送信号の周波数帯に変換したものであるが、システムの使用場所によっては受信信号の周波数帯とは異なる地上デジタルテレビジョン放送信号の周波数帯に変換し、地上デジタルテレビジョン放送信号を光信号に変換し、送信装置２２、追加送信装置３６では、光信号を前記異なる地上デジタルテレビジョン放送信号に復元し、増幅器２６、２６ａにて適正な信号レベルに増幅し、再送信アンテナ２８、４０から再送信することもできる。
【００３２】
上記の実施形態では、追加受信装置３４において信号処理部６ａ、増幅器７ａ及び光送信機１６ａを常時動作させるように構成したが、例えば追加送信装置３６がバッテリー駆動されたとき、多芯光ファイバー２０の光ファイバー２０ａ、２０ｂ以外の光ファイバーを用いてバッテリー駆動されたことを示す光信号を追加受信装置３４に供給するように構成し、追加受信装置３４に、この光信号を検出する検出手段を設け、この検出手段が光信号を検出したとき、追加受信装置３４の信号処理部６ａ、増幅器７ａ及び光送信機１６ａを動作させるように構成すれば、信号処理部６ａ、増幅器７ａ及び光送信機１６ａを常時動作させる必要はない。上記の実施形態では、１台の送信装置２２に対して１台の追加送信装置３６を設けた例を示したが、これに限ったものではなく、複数台の送信装置２２が設けられている再送信システムにおいて、それぞれの送信装置２２に対して追加送信装置３６を設けることもできるし、複数の送信装置２２が設けられている再送信システムにおいて１台の追加送信装置３６を設けることもできる。
【符号の説明】
【００３３】
２  受信装置
２０  多芯光ファイバー
２２  送信装置
２８  送信アンテナ
３４  追加受信装置
３６  追加送信装置
【図１】
0005767012.tif 000002
【図２】
0005767012.tif 000003
【図３】
0005767012.tif 000004
【図４】
0005767012.tif 000005
【図５】
0005767012.tif 000006